(57)【要約】【課題】１個の横延伸装置で縦延伸も可能なオーブンによるフィルム等の縦延伸方法を提供すること。【解決手段】フィルム２４の幅方向の両端部をフィルム２４の走行方向に移動している複数個のクリップ２３で把持し、オーブン２１の入口側から奥へ行くに従って次第にフィルム２４の幅を所定寸法まで広げるオーブンによるフィルム等の横延伸装置２０を用い、オーブン２１の入口側から延伸可能位置である予熱域Ｌまで導入されたフィルム２４を同予熱域終了位置付近に設けたフィルム２４の把持を開放するクリップ開放装置２６により把持を開放し、その後は縦延伸を行なうオーブン２１によるフィルム２４の縦延伸方法とした。【選択図】        図１
2005066873.tif 000002
【特許請求の範囲】
【請求項１】
フィルム等の幅方向の両端部をフィルム等の走行方向に移動している複数個のクリップで把持し、オーブンの入口側から奥へ行くに従って次第にフィルム等の幅を所定寸法まで広げるオーブンによるフィルム等の横延伸装置を用い、オーブンの入口側から延伸可能位置である予熱域まで導入されたフィルム等を同予熱域終了位置付近に設けたフィルム等の把持を開放するクリップ開放装置により把持を開放し、その後は縦延伸を行なうオーブンによるフィルム等の縦延伸方法。
【発明の詳細な説明】
【０００１】
【発明の属する技術分野】
本発明はオーブンによるフィルム・シート等（以下フィルム等という）の延伸方法に係り、特にフィルム等の幅方向の両端部をフィルム等の走行方向に移動している複数個のクリップで把持し、オーブンの入口側から奥へ行くに従って次第にフィルム等の幅を所定寸法まで広げるオーブンによるフィルム等の横延伸装置を用いて縦延伸を行なうオーブンによるフィルム等の縦延伸方法に関する。
【０００２】
【従来の技術】
従来からオーブンによるフィルム等の延伸方法は良く知られており、図４のようにオーブン１の入口側と出口側において夫々速度Ｖ１、Ｖ２（Ｖ２≧Ｖ１）で回転するロール２およびロール３の間で縦延伸する方法、図５に示すようにオーブン５の入口付近が幅Ｗで奥（図中右方向）に行くに従って幅寸法を大きく広げ、所定の寸法Ｗｎになるように対峙した複数個のクリップ６（６ａ、６ｂ、６ｃ……）を取付けたクリップチェン７にフィルム等８の幅方向の両端部を把持させ、スプロケット９で矢印ｄ方向に移動させ、横延伸する方法がある。
【０００３】
しかしながら延伸フィルム等の生産者はニーズにより縦或いは横延伸フィルム等の両方を製作する必要から、従来は縦延伸と横延伸用の二種の機械装置を設備する必要があった。そのため設備費、据付面積の拡大、保守等において甚だ不都合であった。
【０００４】
【特許文献１】
特開平２００３−１４５６２１号公報
【０００５】
【発明が解決しょうとする課題】
この発明は前述のような不都合な問題を解決するためのもので、１個の横延伸装置で縦延伸も可能なオーブンによるフィルム等の縦延伸方法を提供することを目的とする。
【０００６】
【課題を解決するための手段】
前述の目的を達成するため本発明はフィルム等の幅方向の両端部をフィルム等の走行方向に移動している複数個のクリップで把持し、オーブンの入口側から奥へ行くに従って次第にフィルム等の幅を所定寸法まで広げるオーブンによるフィルム等の横延伸装置を用い、オーブンの入口側から延伸可能位置である予熱域まで導入されたフィルム等を同予熱域終了位置付近に設けたフィルム等の把持を開放するクリップ開放装置により把持を開放し、その後は縦延伸を行なうオーブンによるフィルム等の縦延伸方法とした。
【０００７】
これにより横延伸装置は入口側から延伸可能位置に至る予熱域はフィルム等の幅方向の両端部をクリップで把持されているため縦延伸で発生する縦皺ができにくく、最近の光学用のフィルム等に供することが可能である。
【０００８】
【発明の実施の形態】
図１ないし図３により本発明の１実施形態を説明すると、横延伸装置２０はオーブン２１の内側でほぼフィルム幅Ｗで対峙した１対のクリップチェン２２と、同クリップチェン２２に夫々複数個取付けられたクリップ２３（２３ａ、２３ｂ、２３ｃ……）〔１対のうち片側のみ説明する〕がフィルム２４を幅方向の両端部で把持し、図示してない駆動源によりスプロケット２５を介して矢印方向に移動するように構成されている。
【０００９】
１対のクリップチェン２２はオーブン２１の入口側から延伸可能位置に至る予熱域Ｌ終了付近からフィルム２４の横延伸できるように序々に広げられ、フィルム２４が仮想線で示すように所定の幅Ｗｎとなるようにしてある。この予熱域Ｌ終了付近にはフィルム２４のクリップ２３の把持を開放するクリップ開放装置２６が設けてあり、クリップ開放装置２６により幅方向の把持を開放されたフィルム２４は自由端による縦延伸を行なわれるようにしてある。
【００１０】
前記クリップ２３は図２および図３に示すようにクリップチェン２２を取付けたブラケット２７が軸受ベアリング２８、２９および３０を介してガイド３１、３２に沿って移動し、ブラケット２７に取付けた下爪３３と同下爪３３に揺動可能に取付けられた上爪３４の間でフィルム２４の幅方向の端部を把持するようになっている。上爪３４は一端が下爪３２との間でフィルム２４を把持する把持部３５、他端がレバー部３６となっていて、把持部３５とレバー部３６の間で軸３７により揺動可能になっており、常に上爪３４の把持部３５が下爪３３との間でフィルム２４を把持するように作用し、レバー部３５がフィルム２４側（図中右方向）に押されるときだけ把持部３５が下爪３３から離れ、フィルム２４をクリップ２３の把持から開放するようにしている。
【００１１】
従ってクリップ開放装置２６はクリップチェン２２の移動によりクリップ２３が通過する軌道上にねじ４１の押引きにより進退自在に突出され、およびクリップ２３に沿って長穴等により移動可能にした位置調整装置を設けたクリップ開放板４０からなり、レバー部３６が移動しながら徐々にフィルム２４側に押されるようにその接触面Ｂは手前から奥へ幅広となるテーパ状となっている
。
即ち、上爪３４は鎖線３４ａのように傾き、フィルム２４をクリップ２３の把持から開放するようにしている。
【００１２】
以上説明したような構成となっているので、オーブン２１の内部に導入されたフィルム２４は延伸可能位置に至る予熱域Ｌ終了付近までは幅方向の両端部をクリップ２３により把持され、クリップ開放装置２６によってクリップ２３の把持が開放された後は、オーブン２１の出口側にある入口側のロール３８より速く回転しているロール３９により縦延伸されるようになっている。
【００１３】
クリップ開放装置２６は前述のように位置調整装置を設けたので、任意の位置でクリップ２３の開放が可能であり、オーブン２１の入口側の予熱域Ｌ終了付近までは幅方向の両端部をクリップ２３により把持しているので縦延伸で発生しやすい縦皺もできない。
【００１４】
【発明の効果】
以上説明したように本発明により１個の横延伸装置で縦延伸も可能なオーブンによるフィルム等の縦延伸方法が可能となり、当初に掲げた問題が解消される。
【図面の簡単な説明】
【図１】本発明の１実施形態を示すオーブンによるフィルム等の縦延伸装置の概要を示す平面図である。
【図２】本発明の１実施形態を示すオーブンによるフィルム等の縦延伸装置の説明図で、図１の拡大したＡ−Ａ断面図である。
【図３】本発明の１実施形態を示すオーブンによるフィルム等の縦延伸装置の説明図で、クリップおよびクリップ開放装置を示し、図２のＺ矢視図である。
【図４】従来のオーブンによるフィルム等の縦延伸装置の概略の側面図である。
【図５】従来のオーブンによるフィルム等の横延伸装置の全体概要を示す平面図である。
【符号の説明】
２０  横延伸装置
２１  オーブンオーブン
２２  クリップチェーン
２３  クリップ
２４  フィルム
２５  スプロケット
２６  クリップ開放装置
２７  ブラケット
２８、２９、３０  軸受ベアリング
３１、３２  ガイド
３３  下爪
３４  上爪
３５  把持部
３６  レバー部
３７  軸
３８、３９  ロール
４０  開放板
４１  ねじ
【図１】
2005066873.tif 000003
【図２】
2005066873.tif 000004
【図３】
2005066873.tif 000005
【図４】
2005066873.tif 000006
【図５】
2005066873.tif 000007